(57)【要約】【課題】  Ｏリングの設置作業が簡便で、組立自動化に一層有利であり、コンパクト化が可能で、フィルタリング効果が向上させることができ、キャップ胴体の緩みを防止できるレシーバードライヤーの密閉用キャップを提供する。【解決手段】  本発明は、レシーバードライヤーのタンクの開口部に結合して外周面に締結部が形成され、下端部にフランジが設けられたキャップ胴体と、前記キャップ胴体の上端部に結合手段を介して着脱自在に結合され、作動流体が通過するように流入路及び排出路が形成され、周りにフィルタ網が形成されたフィルタと、前記キャップ胴体の上端の外周部に一側が開放されたＯリング装着部を形成し、前記フィルタの下端部にはＯリングの離脱を防止するための前記Ｏリング装着部の開放された一側を閉じるＯリング保持部を備えてなるＯリング装着手段と、を含むことを特徴とする。【選択図】図４
2008509376.tif 000002
【特許請求の範囲】
【請求項１】
レシーバードライヤー（１０）のタンク（１１）の開口部（１３）に結合して外周面に締結部（１１１）が形成され、下端部にフランジ（１１２）が設けられたキャップ胴体（１１０）と、
前記キャップ胴体（１１０）の上端部に結合手段（１４０）を介して着脱自在に結合され、作動流体が通過するように流入路（１３１）及び排出路（１３２）が形成され、周りにフィルタ網（１３４）が形成されたフィルタ（１３０）と、
前記キャップ胴体（１１０）の上端の外周部に一側が開放されたＯリング装着部（１１３）を形成し、前記フィルタ（１３０）の下端部にはＯリング（１２０）の離脱を防止するための前記Ｏリング装着部（１１３）の開放された一側を閉じるＯリング保持部（１３７）を備えてなるＯリング装着手段（１５０）と、を含むことを特徴とするレシーバードライヤーの密閉用キャップ。
【請求項２】
前記結合手段（１４０）は、前記キャップ胴体（１１０）の上端に突出部（１１４）を形成し、前記フィルタ（１３０）の下端部には前記突出部（１１４）に対応する挿入溝（１３６）を形成してなることを特徴とする請求項１に記載のレシーバードライヤーの密閉用キャップ。
【請求項３】
前記突出部（１１４）には、素材節減のために間引き溝（１１４ａ）がさらに形成されることを特徴とする請求項２に記載のレシーバードライヤーの密閉用キャップ。
【請求項４】
前記フィルタ（１３０）には、前記突出部（１１４）と挿入溝（１３６）との結合を円滑にするために挿入溝（１３６）内の空気を抜く排出孔（１３８）が形成されることを特徴とする請求項２に記載のレシーバードライヤーの密閉用キャップ。
【請求項５】
前記突出部（１１４）及び挿入溝（１３６）は、結合後の空回りを防止するためにそれぞれ非円形に形成されることを特徴とする請求項２に記載のレシーバードライヤーの密閉用キャップ。
【請求項６】
前記フィルタ（１３０）の内部には、前記レシーバードライヤー（１０）内に設置された乾燥剤（１５）を保持する保持部（１３５）が形成されることを特徴とする請求項１に記載のレシーバードライヤーの密閉用キャップ。
【請求項７】
前記キャップ胴体（１１０）の下端には、キャップ胴体（１１０）の組立てによりツール挿入溝（１１５）が形成されることを特徴とする請求項１に記載のレシーバードライヤーの密閉用キャップ。
【請求項８】
前記Ｏリング装着部（１１３）には複数のＯリングが設けられ、各Ｏリング（１２０）の間には該Ｏリング（１２０）を密着支持するライナー（１２５）が設けられることを特徴とする請求項１に記載のレシーバードライヤーの密閉用キャップ。
【請求項９】
前記レシーバードライヤー（１０）のタンク（１１）の下端と前記キャップ胴体（１１０）のフランジ（１１２）との間にはキャップ胴体（１１０）の結合後の緩みを防止するために緩み止め手段（１１８）が設置されることを特徴とする請求項１に記載のレシーバードライヤーの密閉用キャップ。
【請求項１０】
前記緩め止め手段（１１８）は、前記タンク（１１）の下端に係止溝（１６）を形成し、前記フランジ（１１２）の上面には前記係止溝（１６）に係止される係止爪（１１６）を備えることを特徴とする請求項９に記載のレシーバードライヤーの密閉用キャップ。
【請求項１１】
前記係止爪（１１６）の一側のフランジ（１１２）上には係止爪（１１６）の弾力的な作用のために切込み溝（１１７）が形成されていることを特徴とする請求項１０に記載のレシーバードライヤーの密閉用キャップ。
【請求項１２】
前記突出部（１１４）と挿入溝（１３６）とはタップ結合されることを特徴とする請求項２に記載のレシーバードライヤーの密閉用キャップ。
【発明の詳細な説明】
【技術分野】
【０００１】
本発明は、レシーバードライヤーの密閉用キャップに関し、より詳しくは、キャップ胴体とフィルタとを分離して着脱自在に結合し、その間にＯリングを介装することにより、各部品の差し替えが容易であるとともに、Ｏリングの設置作業が簡便でかつツール挿入溝を長く形成することができるので、組立自動化に一層有利であり、またキャップ胴体とフィルタとの結合時に全体の高さが減少して、コンパクト化が可能であり、更に同一のサイズのキャップである場合、フィルタのサイズをより大きくすることができるので、フィルタリング効果が向上させることができ、タンクからのキャップ胴体の緩めをも防止したレシーバードライヤーの密閉用キャップに関する。
【背景技術】
【０００２】
自動車冷房システムは、外気と熱交換を行う作動流体を圧縮機で高温・高圧の気相に圧縮した後、コンデンサに送り、コンデンサは前記気相の作動流体を液相に相変化させて吸熱量を高めた後膨張弁に移送させる。その後、膨張弁は前記作動流体を低温・低圧状態に膨張させて蒸発器に送り、蒸発器は前記低温・低圧の作動流体が外気と熱交換（外気熱を吸熱）を行うようにして、所定の空間を冷房させる。
【０００３】
しかし、前記のような経路を経て循環する作動流体が外気熱を吸熱するためには前記コンデンサで凝縮されるとき、液相にならなければいけないが、一部が気相に残ってコンデンサを通過した後に液相と気相とが共存することになる。
従って、液相と気相が共存する作動流体が蒸発器で熱交換を行う場合、気相の作動流体は外気の熱をほとんど吸熱できないため、冷房効率が低下するという問題点が発生する。
【０００４】
前記問題点を解決するためにコンデンサと膨張弁との間にレシーバードライヤーを設ける。レシーバードライヤーはコンデンサで未だ液相化していない気相の作動流体を分離・除去するか、循環する作動流体中に含まれた水分を吸収して冷房効率を高めるためのものである。
このようなレシーバードライヤー１０は、一般に、図１に示すように、コンデンサ１の一側のヘッダータンク２に取り付けられる。
レシーバードライヤー１０は、上部が閉じられ、下部が開放されたタンク１１の内部に、気相の作動流体及び水分を除去するために乾燥剤１５を入れ、乾燥剤１５を通過した作動流体中に含まれた不純物を除去できるように、タンク１１の下部にキャップ２０を組立・固定してタンク１１の下部を密閉する。
【０００５】
キャップ２０は図２に示すように、胴体部３０及びフィルタ部４０が金属材で一体に形成されている。胴体部３０はタンク１１の下端開口部１３に螺合されるように外周面にねじ部３１が形成され、その下方には順次気密を保つＯリング５０と、タンク１１の下端面に密着されるフランジ３２が形成される。更に、下端には組立のためのツール挿入溝（図示せず）が形成されている。
そして、フィルタ部４０は胴体部３０の上端に一体形成され、上端には作動流体が流入可能に流入路４１が設けられ、側壁には作動流体が排出できるように複数の排出路４２が設けられている。また、フィルタ部４０の内側にはフィルタ網４３が設置されているため、作動流体に含まれた不純物が除去できる。
【０００６】
しかし、前記した従来のキャップ２０は金属製であるため、重量が大であるほか、素材そのものが高価であり、複雑な加工プロセスなどによって高コストとなる問題がある。
また、胴体部３０とフィルタ部４０とが一体に形成されているため、いずれか一つの機能が消失した時、全機能が消失することになり、全体を差し替えなければならない問題があった。
【０００７】
更に、胴体部３０の外周面に形成された溝５１にＯリング５０を設置するとき、Ｏリング５０の内径が胴体部３０の外形よりも小さいので、Ｏリング５０を拡張させた状態で溝５１まで移動してから設置しなければならず、Ｏリング５０の設置作業が難しく、このため自動化が困難であった。
また、キャップ２０をコンパクト化するには、フィルタ部４０も相対的に小さくする必要があり、フィルタリング効果が低下するため、コンパクト化に多くの問題があった。
【０００８】
上記問題を解決するために、本発明の出願人が先に出願した韓国特許公開公報第２００１−０６５６０５号は、金属材フィルタをインサート射出成形した構造であり、韓国特許公開公報第２００３−０８６０９６号はフィルタを射出成形して金属材キャップに装着結合した構造を提示したものである。
特開第２０００−２９２０３０号にはフィルタとキャップ胴体をそれぞれ分割して成形し、相互間の結合面に形成された凸部と凹部とを結合した構造が開示されている。
しかしながら、依然としてＯリングの設置作業が難しいという問題点があった。
【０００９】
図３は、低温（冬）、中間（常温）、高温（作動時）時のタンク１１にキャップ２０の胴体部３０が結合された状態を示したものであり、温度変化により締結状態の変ることが分かる。また、温度変化による熱収縮率の差のみならず、振動、締結張力不足などによりキャップ２０が緩む不具合もあった。
特に、中間（常温）状態で胴体部３０のねじ部３１がタンク１１側のねじ部と密着せず隙間がある場合は、締結張力が最低の状態となり、キャップ２０の緩みが加速される問題点があった。
【特許文献１】韓国特許公開公報第２００３−０８６０９６号
【特許文献２】韓国特許公開公報第２００１−０６５６０５号
【特許文献３】特開第２０００−２９２０３０号公報
【発明の開示】
【発明が解決しようとする課題】
【００１０】
本発明は、従来の問題点を解決するためになされたもので、本発明の目的は、キャップ胴体とフィルタとを分離して着脱自在に結合し、その間にＯリングを介装し得るように構造を改善することにより、各部品の差し替えが容易であるとともに、Ｏリングの設置作業が簡便で、かつ、ツール挿入溝を長く形成することができるので、組立自動化に一層有利であり、またキャップ胴体とフィルタとの結合時に全体の高さが減少して、コンパクト化が可能であり、更に同一のサイズのキャップである場合、フィルタのサイズをより大きくすることができるので、フィルタリング効果が向上させることができ、キャップ胴体とフィルタとの間の空気を抜き出すことで、円滑な結合を図ることができるとともに、タンクからのキャップ胴体の緩みを防止するレシーバードライヤーの密閉用キャップを提供することにある。
【課題を解決するための手段】
【００１１】
前記目的を達成するための本発明は、レシーバードライヤー（１０）のタンク（１１）の開口部（１３）に結合して外周面に締結部（１１１）が形成され、下端部にフランジ（１１２）が設けられたキャップ胴体（１１０）と、前記キャップ胴体（１１０）の上端部に結合手段（１４０）を介して着脱自在に結合され、作動流体が通過するように流入路（１３１）及び排出路（１３２）が形成され、周りにフィルタ網（１３４）が形成されたフィルタ（１３０）と、前記キャップ胴体（１１０）の上端の外周部に一側が開放されたＯリング装着部（１１３）を形成し、前記フィルタ（１３０）の下端部にはＯリング（１２０）の離脱を防止するための前記Ｏリング装着部（１１３）の開放された一側を閉じるＯリング保持部（１３７）を備えてなるＯリング装着手段（１５０）と、を含むことを特徴とする。
【００１２】
前記結合手段（１４０）は、前記キャップ胴体（１１０）の上端に突出部（１１４）を形成し、前記フィルタ（１３０）の下端部には前記突出部（１１４）に対応する挿入溝（１３６）を形成してなり、前記突出部（１１４）には、素材節減のために間引き溝（１１４ａ）がさらに形成され、前記フィルタ（１３０）には、前記突出部（１１４）と挿入溝（１３６）との結合を円滑にするために挿入溝（１３６）内の空気を抜く排出孔（１３８）が形成されることを特徴とする。
【００１３】
また、前記突出部（１１４）及び挿入溝（１３６）は、結合後の空回りを防止するためにそれぞれ非円形に形成され、前記フィルタ（１３０）の内部には、前記レシーバードライヤー（１０）内に設置された乾燥剤（１５）を保持する保持部（１３５）が形成されることを特徴とする。
【００１４】
前記キャップ胴体（１１０）の下端には、キャップ胴体（１１０）の組立てによりツール挿入溝（１１５）が形成され、前記Ｏリング装着部（１１３）には複数のＯリングが設けられ、各Ｏリング（１２０）の間には該Ｏリング（１２０）を密着支持するライナー（１２５）が設けられることを特徴とする。
【００１５】
前記レシーバードライヤー（１０）のタンク（１１）の下端と前記キャップ胴体（１１０）のフランジ（１１２）との間にはキャップ胴体（１１０）の結合後の緩みを防止するために緩み止め手段（１１８）が設置され、前記緩め止め手段（１１８）は、前記タンク（１１）の下端に係止溝（１６）を形成し、前記フランジ（１１２）の上面には前記係止溝（１６）に係止される係止爪（１１６）を備え、前記係止爪（１１６）の一側のフランジ（１１２）上には係止爪（１１６）の弾力的な作用のために切込み溝（１１７）が形成され、前記突出部（１１４）と挿入溝（１３６）とはタップ結合されることを特徴とする。
【発明の効果】
【００１６】
本発明によれば、前記キャップ胴体とフィルタをそれぞれ射出成形して着脱自在に結合し、その間にＯリングを設置し得るように構造を改善することで、いずれか一つの部品が破損などで機能消失したとき、当該部品だけを差し替えればよいので、交替作業が容易であるため、費用が節減され、Ｏリングの設置作業が簡便でかつツール挿入溝を長く形成することができるので、組立自動化に有利である。
また、キャップ胴体とフィルタとの結合時、全体の高さが減少してコンパクト化が可能であり、同一のサイズのキャップである場合、フィルタのサイズをより大きくすることができるので、フィルタリング効果が向上する。
【００１７】
そして、前記フィルタの排出孔を形成することにより、前記キャップ胴体の突出部とフィルタの挿入溝との間の結合時に、前記挿入溝内に残存する空気が抜け出して一層円滑に結合できる。
更に、前記Ｏリング装着部に複数のＯリングを設置し、各Ｏリングの間にはライナーを設置することで、冷凍潤滑油の供給条件が改善され、前記タンクの下端部とキャップ胴体のフランジにそれぞれ係止溝及び係止爪を形成することにより、キャップ胴体の結合後の緩みが防止できる。
【発明を実施するための最良の形態】
【００１８】
以下、図面を参照して本発明を詳細に説明する。
なお、従来と同じ部分については同一の符号を付し、その説明を省く。
【実施例】
【００１９】
図４は、本発明によるレシーバードライヤーの密閉用キャップを示す分解斜視図、図５は、図４におけるＡ−Ａ線による結合断面図、図６は、本発明によるレシーバードライヤーに密閉用キャップが結合された状態を示す断面図、図７は、本発明によるレシーバードライヤーの密閉用キャップにおいて、フィルタ側に空気排出孔を形成した場合を示す断面図、図８は、本発明によるレシーバードライヤーの密閉用キャップにおいて、キャップ胴体とフィルタとの結合部を非円形に形成した場合を示す分解斜視図である。
【００２０】
本発明によるレシーバードライヤー１０は、上部が上部キャップ１２によって密閉され、下部は開口され、コンデンサ１のヘッダータンク２に連通するように設置されるタンク１１と、タンク１１内に装入される乾燥剤１５と、タンク１１の開口部１３に螺合されて開口部を密閉させるキャップ１００とからなる。
乾燥剤１５は、コンデンサ１で未だ液相化していない気相の作動流体や水分を除去して冷房効率を高める。乾燥剤１５のみならず多様なフィルタ部材を用いてもよい。
【００２１】
また、本発明のキャップ１００は、キャップ胴体１１０とフィルタ１３０とが分離された形態で構成され、それぞれ合成樹脂で射出成形されるが、ナイロン、アクリルなどの機械的強度が高いＥＰ（Ｅｎｇｉｎｅｅｒｉｎｇ  Ｐｌａｓｔｉｃ）で射出成形することが望ましい。
キャップ胴体１１０には、レシーバードライヤー１０のタンク１１の開口部１３に結合可能に外周面に締結部１１１が形成され、下端にはレシーバードライヤー１０の下端面に面接触するフランジ１１２が設けられる。
更に、締結部１１１には、キャップ胴体１１０をタンク１１の開口部１３に螺合できるようにキャップ胴体１１０の外周面にねじ部１１１ａが形成される。
【００２２】
また、キャップ胴体１１０の下端中央には、キャップ胴体１１０をレシーバードライヤー１０に組立てるとき、締結工具を用いて簡単に組立できるようにツール挿入溝１１５が形成されている。
ツール挿入溝１１５は、組立自動化に一層有利になるようにキャップ胴体１１０の内側の長手方向に長く形成することが好ましい。即ち、締結工具とキャップ胴体１１０との接触面積が大きくなって、組立時の振れを減らすことができるので、組立作業を円滑に行うことができる。
【００２３】
そして、フィルタ１３０は、キャップ胴体１１０の上端部に結合手段１４０を介して着脱可能に結合され、上端には作動流体が流入可能なように流入路１３１が形成され、外周には多数の保持台１３３が一定間隔で形成され、流入路１３１により流入した作動流体が排出可能なように多数の排出路１３２が形成される。
また、前記排出路１３２が形成されたフィルタ１３０の周りには排出路１３２を通過する作動流体に含まれた不純物を取り除くことができるようにフィルタ網１３２が形成される。
【００２４】
前記フィルタ網１３４はフィルタ１３０の射出成形の際、一体で射出成形されることが望ましいが、フィルタ網１３４を別の金属網で構成してフィルタ１３０と共に二重射出してもよい。
また、フィルタ１３０の内部には、レシーバードライヤー１０の内部に装入された乾燥剤１５などを保つことができるように保持部１３５が形成される。この際、保持部１３５の先端部はフィルタ１３０の上端よりも突出していることが望ましい。
【００２５】
即ち、乾燥剤１５が重力などによってフィルタ１３０の内部に入り込む場合、作動流体の流動を防止するようになるが、保持部１３５が乾燥剤１５を保持することで、このような不具合を解消することができる。
そして、結合手段１４０は、キャップ胴体１１０の上端部に突出部１１４を段差形成し、フィルタ１３０の下端部には突出部１１４に対応する挿入溝１３６を備える。
従って、キャップ胴体１１０の突出部１１４がフィルタ１３０の挿入溝１３６に着脱自在に挿入・結合されることで、いずれか一つが破損などで機能を消失したとき、当該部品だけを差し替えれば済むので、交替が容易であるため、コスト低減を図ることができる。
【００２６】
なお、突出部１１４は後述するＯリング装着部１１３と段差を付けてある。
また、突出部１１４には重量及び素材などを節減できるように多数の間引き溝１１４ａが奥方向に形成される。
そして、フィルタ１３０には突出部１１４と挿入溝１３６との結合時に円滑に結合されるように挿入溝１３６内の空気を抜き出す排出孔１３８が形成される。
即ち、キャップ胴体１１０とフィルタ１３０とを結合するためには、キャップ胴体１１０の突出部１１４とフィルタ１３０の挿入溝１３６とを結合するが、この場合突出部１１４が挿入溝１３６内に挿入される過程で、挿入溝１３６内に残存しながら結合を妨害する空気が挿入溝１３６の上側に形成された排出孔１３８を通じて抜けることにより、円滑に結合できるようにしたものである。
【００２７】
さらに、キャップ胴体１１０の突出部１１４及びフィルタ１３０の挿入溝１３６は、結合後の空回りを防止するために多角形や楕円形などの非円形に形成することが好ましい。
こで、キャップ胴体１１０の突出部１１４及びフィルタ１３０の挿入溝１３６を円形に形成する場合には、互いに嵌めこまれるか、或いはタップ結合することが望ましく、他にも熱融着や超音波融着などの方法により結合できるが、この場合には突出部１１４及び挿入溝１３６を削除してもよい。
【００２８】
一方、前記のようにキャップ胴体１１０の突出部１１４がフィルタ１３０の挿入溝１３６に挿入される結合構造によってキャップ胴体１１０の下端に形成されたツール挿入溝１１５を更に長く形成することができ、このため組立自動化に有利である。
また、キャップ胴体１１０とフィルタとの間にはレシーバードライヤー１０とキャップとの気密を保つためのＯリング１２０を設置することができるようにＯリング設置手段１５０が設けられる。
【００２９】
Ｏリング設置手段１５０は、キャップ胴体１１０の上端部の周りに一側が開放されたＯリング装着部１１３を形成し、フィルタ１３０の下端部にはＯリング装着部１１３に装着されたＯリング１２０を支持してＯリング１２０の離脱を防止できるようにＯリング装着部１１３の開放された一側を閉じるＯリング保持部１３７を設ける。
ここで、Ｏリング装着部１１３は、軸方向に開放されており、Ｏリング１２０の内径とぼほ同一であるため、Ｏリング装着部１１３にＯリング１２０の挿入が極めて簡単で自動化に有利である。このようにＯリング装着部１１３にＯリング１２０が装着された後にはフィルタ１３０を結合することで、フィルタ１３０のＯリング保持部１３７がＯリング１２０を支持しながら離脱を防止する。
【００３０】
従って、キャップ胴体１１０とフィルタ１３０との結合時、キャップ１１０の全体の高さを減らすことができ、このためコンパクト化したキャップ１００を形成することができる。
即ち、従来は胴体部３０にＯリング５０が装着できるように溝５１を一定の深さだけ形成していたが、このとき、Ｏリング５０の離脱防止のために溝５１の上下側を両方とも閉鎖しなければならないので、その分だけ胴体部３０の高さが増え、キャップ２０の全体高さが増加していた。
【００３１】
しかも、従来はＯリング５０が装着される溝５１を射出成形する場合、射出境界面上にバリ（Ｂｕｒｒ）が生じる恐れが高かった。即ち、キャップ２０の胴体部３０に円形の溝５１を形成するためには両側に分離された一対の射出成形金型が必要となり、この時一対の射出成形金型が接する境界面ではバリが生じ易い。
このように、Ｏリング５０が装着される溝５１にバリが形成されると、Ｏリング５０とキャップ２０の胴体部３０との間に冷媒漏れの恐れがある。
【００３２】
しかし、本発明ではＯリング装着部１１３の上方を開放形成した構造であって、この開放された部分だけキャップ胴体１１０の高さを減らすことができ、更にＯリング装着部１１３の開放された部分は、フィルタ１３０が結合されるとき、Ｏリング保持部１３７によって閉塞されながらＯリング１２０の離脱を防止することにより、キャップ１００の全体の高さを減らすことができる。
一方、キャップ１００の寸法を同一に維持する場合には、前記のようにキャップ胴体１１０をも相対的に減らすことができるので、その分だけフィルタ１３０のサイズを大きくすることができ、このためフィルタリング効果を一層向上させることができる。
また、キャップ胴体１１０の射出成形時Ｏリング装着部１１３にバリが生じることを防止できるので、冷媒漏洩の危険を低くすることができる。
【００３３】
前述のように、本発明によるレシーバードライヤー１０の密閉用キャップ１００は、キャップ胴体１１０及びフィルタ１３０をそれぞれ射出成形し、射出成形した後にはキャップ胴体１１０の上端に形成されたＯリング装着部１１３にＯリング１２０を挿入し、その後フィルタ１３０をキャップ胴体１１０と結合することでキャップ１００の組立を完了する。
このように組立てられたキャップ１００は、レシーバードライヤー１０のタンク１１の下端開口部１３に螺合することで、タンク１１の開口部１３を密閉する。
【００３４】
図９は、本発明の他の実施例によるレシーバードライヤーの密閉用キャップを示す結合断面図であって、上記例ではＯリング装着部１１３に一つのＯリング１２０を設置したが、この場合冷凍潤滑油の供給条件が悪化する可能性がある。これを改善するためにＯリング装着部１１３に複数（図面上には２つを設置した）のＯリング１２０を設置し、各Ｏリング１２０の間にはＯリング１２０を安定に密着保持してシール性を向上させるように平板状のライナー１２５を設けている。
【００３５】
図１０は、本発明のまた他の実施例によるレシーバードライヤーの密閉用キャップを示す斜視図であって、レシーバードライヤー１０のタンク１１にキャップ胴体１１０を締結する場合に温度変化による熱収縮率の差、振動、締結張力の不足などに起因して締結力が劣化して緩む現象が発生する。従って、本発明ではタンク１１の下端部とキャップ胴体１１０のフランジ１１２との間にキャップ胴体１１０の結合後の緩みを防止できるように緩み止め手段１１８が設けられる。
緩め止め手段１１８は、タンク１１の下端部に係止溝１６を形成し、フランジ１１２の上面には係止溝１６に係止されるように係止爪１１６を形成する。
また、係止爪１１６の弾力的な作用のために、係止溝１６に円滑に固定可能なように係止爪１１６の一側のフランジ１１２上に切込み溝１１７が形成される。
【００３６】
以上、本発明ではキャップ胴体１１０をレシーバードライヤー１０のタンク１１の開口部１３に結合するためにキャップ胴体１１０の外周面にねじ部１１１ａを形成して螺合する方法についてのみ説明したが、これに限定されることなく、螺合方法のほかにも、止め環（Ｓｎａｐ  ｒｉｎｇ）やピンなどを用いてキャップ胴体１１０をタンク１１の開口部１３に結合することもできる。
【図面の簡単な説明】
【００３７】
【図１】従来のレシーバードライヤーの一体形コンデンサを示す断面図である。
【図２】従来のレシーバードライヤーにキャップが結合された状態を示す断面図である。
【図３】従来のレシーバードライヤーにキャップが結合された状態で温度変化によって変った締結断面を示す図である。
【図４】本発明によるレシーバードライヤーの密閉用キャップを示す分解斜視図である。
【図５】図４におけるＡ−Ａ線による結合断面図である。
【図６】本発明によるレシーバードライヤーに密閉用キャップが結合された状態を示す断面図である。
【図７】本発明によるレシーバードライヤーの密閉用キャップにおいて、フィルタ側に空気排出孔を形成した場合を示す断面図である。
【図８】本発明によるレシーバードライヤーの密閉用キャップにおいて、キャップ胴体とフィルタとの結合部を非円形に形成した場合を示す分解斜視図である。
【図９】本発明の他の実施例によるレシーバードライヤーの密閉用キャップを示す結合断面図である。
【図１０】本発明のまた他の実施例によるレシーバードライヤーの密閉用キャップを示す斜視図である。
【符号の説明】
【００３８】
１    コンデンサ
２    ヘッダータンク
１０    レシーバードライヤー
１１    タンク
１２    上部キャップ
１３    開口部
１５    乾燥剤
１６    係止溝
１００    キャップ
１１０    キャップ胴体
１１１    締結部
１１１ａ    ねじ部
１１２    フランジ
１１３    Ｏリング装着部
１１４      突出部
１１４ａ    間引き溝
１１５    ツール挿入溝
１１６    係止爪
１１７    切込み溝
１１８    緩め止め手段
１２０    Ｏリング
１２５    ライナー
１３０    フィルタ
１３１    流入路
１３２    排出路
１３３    保持台
１３４    フィルタ網
１３５    保持部
１３６    挿入溝
１３７    Ｏリング保持部
１３８    排出孔
１４０    結合手段
１５０    排出孔
【図１】
2008509376.tif 000003
【図２】
2008509376.tif 000004
【図３】
2008509376.tif 000005
【図４】
2008509376.tif 000006
【図５】
2008509376.tif 000007
【図６】
2008509376.tif 000008
【図７】
2008509376.tif 000009
【図８】
2008509376.tif 000010
【図９】
2008509376.tif 000011
【図１０】
2008509376.tif 000012
【国際調査報告】
2008509376.tif 000013
2008509376.tif 000014